(57)【要約】【課題】特定区域への入退場の管理を効率よく行い、特定区域へ入場する者の安全を監視する入退場管理システムを実現する。【解決手段】ＩＣカード３のユーザの個人情報を含むカード情報を読み取るカードリーダライタ４と、読み取ったカード情報を記憶するカード情報ＤＢ６４１と、カード情報ＤＢ６４１のカード情報とユーザが所持する非接触ＩＣタグ２のタグＩＤとを対応つけて記憶するタグＩＤＤＢ６４２と、ユーザの所持する非接触ＩＣタグに記憶されているタグＩＤを読取るタグリーダ３０とを備え、読み取られたタグＩＤを、タグＩＤＤＢ６４２に記憶されているタグＩＤに基づいて認証するとともに、認証されたタグＩＤと、当該タグＩＤの読取結果に基づく特定区域への入退場情報とを対応付けて記憶させる。また、ガス濃度測定器７０が測定した特定区域のガス濃度データを、ユーザが所持する通信端末８へ通知する。【選択図】図２
2006072719.tif 000002
【特許請求の範囲】
【請求項１】
ユーザが所持するＩＣカードに記憶されている当該ユーザの個人情報を含むカード情報を読み取るカード情報読取手段と、
前記カード情報読取手段により読み取られたカード情報を記憶するカード情報記憶手段と、
前記カード情報記憶手段に記憶されているカード情報と、前記ユーザが所持する非接触ＩＣタグに記憶されているタグ識別情報とを対応つけて記憶するタグ識別情報記憶手段と、
前記ユーザが特定区域へ入退場するための入退場口に設けられ、前記ユーザが所持する非接触ＩＣタグに記憶されているタグ識別情報を読み取るタグ識別情報読取手段と、
前記タグ識別情報読取手段により読み取られたタグ識別情報を、前記タグ識別情報記憶手段に記憶されているタグ識別情報に基づいて認証する認証手段と、
前記認証手段により、前記タグ識別情報読取手段によって読み取られたタグ識別情報が認証された場合、認証されたタグ識別情報と、当該タグ識別情報の読取結果に基づく入退場情報とを対応つけて記憶する入退場情報記憶手段と、
前記特定区域の環境に関する環境データを取得する環境データ取得手段と、
前記環境データ取得手段が取得した環境データを、前記ユーザが所持する通信端末に通知する環境データ通知手段と、
を備えることを特徴とする入退場管理システム。
【請求項２】
前記カード情報読取手段により読み取られたカード情報に対応つけられたタグ識別情報を前記タグ識別情報記憶手段から取得するタグ識別情報取得手段と、
前記タグ識別情報取得手段により取得されたタグ識別情報に対応つけられた入退場情報を前記入退場情報記憶手段から取得する入退場情報取得手段と、
前記入退場情報取得手段により取得された入退場情報と、前記環境データ取得手段が取得した環境データとを対応つけて、前記ユーザのカード情報を記憶するＩＣカードに書き込む書込手段と、
を備えることを特徴とする請求項１記載の入退場管理システム。
【請求項３】
前記タグ識別情報読取手段により読み取られたタグ識別情報が、前記認証手段によって認証された後の経過時間を計時する経過時間計時手段と、
前記経過時間計時手段が、所定の経過時間を計時したことに基づき、前記ユーザが所持する通信端末に、前記特定区域から退場すべき旨を通知する退場勧告通知手段と、
を備えることを特徴とする請求項１又は２に記載の入退場管理システム。
【発明の詳細な説明】
【技術分野】
【０００１】
本発明は、入退場管理システムに関する。
【背景技術】
【０００２】
従来、特定区域である特殊な作業現場への作業者の立ち入りを制限するため、その作業現場での作業を行うことができる特定作業者を予め決めておき、その作業現場へ作業者が入場する際、その作業者は特定作業者か否かを現場管理者が確認し、特定作業者のみを入場させるとともに、その入退場時刻を記録するといった管理手法がとられていた。
また、その作業現場で作業者が作業を行う際の安全を考慮し、作業現場の作業環境、例えば、酸素濃度や有害ガス濃度、粉塵量を予め測定して、安全が確認された後に作業者を作業現場に立ち入らせるという管理手法がとられていた。
【０００３】
また、近年、非接触ＩＣタグや非接触ＩＣカードを利用したシステムが多くの分野で注目されており、例えば、非接触ＩＣタグや非接触ＩＣカードを利用した、展示会などの入場者管理システムや、鉄道の自動改札システムなどが知られている（例えば、特許文献１参照。）。
前述の鉄道の自動改札システムでは、通行者がＩＣカードを改札ゲートのカードリーダ部にかざすことにより、改札ゲートの通過の可否が判断され、そのＩＣカードが入退場を許可されるデータを有する場合のみに改札ゲートの一時的な開放が行われるようになっている。
【特許文献１】特開２００２−１４０７４４号公報
【発明の開示】
【発明が解決しようとする課題】
【０００４】
しかしながら、上記従来技術の場合、現場管理者が常に作業者の入退場を監視していなければならないので、効率の悪い管理手法であった。
また、作業環境は刻々と変化する場合があるが、作業現場に入場した各作業者は、その作業環境が変化する悪化傾向や改善傾向を把握することはできなかった。
【０００５】
また、上記特許文献１の場合、通行者は改札ゲートのカードリーダ部に向けてＩＣカードをかざすために、ＩＣカードをポケットやバックなどから取り出さなければならず、その動作が面倒であるという問題があった。
また、このような非接触ＩＣカードシステムを、入退場者を管理する作業現場に適用した場合、作業現場のゲートを通過する作業者は、その作業着が重装備であったり、特に手袋をしていたりすると、ＩＣカードの取り出しが困難となることがあり、そのゲートを入退場する際に手間がかかるので、入退場する効率が悪いという問題があった。
【０００６】
本発明の目的は、特定区域への入退場の管理を効率よく行うとともに、特定区域へ入場する者の安全を監視することができる入退場管理システムを提供することである。
【課題を解決するための手段】
【０００７】
以上の課題を解決するため、請求項１記載の発明は、例えば、図１、図２、図３に示すように、入退場管理システム（１００）であって、
ユーザが所持するＩＣカード（３）に記憶されている当該ユーザの個人情報を含むカード情報を読み取るカード情報読取手段（例えば、カードリーダライタ４）と、
前記カード情報読取手段により読み取られたカード情報を記憶するカード情報記憶手段（例えば、ＣＰＵ６１、カード情報ＤＢ６４１、カード情報記憶プログラム６５０）と、
前記カード情報記憶手段に記憶されているカード情報と、前記ユーザが所持する非接触ＩＣタグ（２）に記憶されているタグ識別情報とを対応つけて記憶するタグ識別情報記憶手段（例えば、ＣＰＵ６１、タグＩＤＤＢ６４２、タグＩＤ記憶プログラム６５１）と、
前記ユーザが特定区域へ入退場するための入退場口に設けられ、前記ユーザが所持する非接触ＩＣタグに記憶されているタグ識別情報を読み取るタグ識別情報読取手段（例えば、タグリーダ３０）と、
前記タグ識別情報読取手段により読み取られたタグ識別情報を、前記タグ識別情報記憶手段に記憶されているタグ識別情報に基づいて認証する認証手段（例えば、ＣＰＵ６１、認証プログラム６５２）と、
前記認証手段により、前記タグ識別情報読取手段によって読み取られたタグ識別情報が認証された場合、認証されたタグ識別情報と、当該タグ識別情報の読取結果に基づく入退場情報とを対応つけて記憶する入退場情報記憶手段（例えば、ＣＰＵ６１、入退場情報ＤＢ６４３、入退場情報記憶プログラム６５５）と、
前記特定区域の環境に関する環境データを取得する環境データ取得手段（例えば、ガス濃度測定器７０）と、
前記環境データ取得手段が取得した環境データを、前記ユーザが所持する通信端末に通知する環境データ通知手段（例えば、ＣＰＵ６１、通信部８０、環境データ通知プログラム６６０）と、
を備えることを特徴とする。
【０００８】
請求項２記載の発明は、請求項１記載の入退場管理システムにおいて、
前記カード情報読取手段により読み取られたカード情報に対応つけられたタグ識別情報を前記タグ識別情報記憶手段から取得するタグ識別情報取得手段（例えば、ＣＰＵ６１、タグＩＤ取得プログラム６５４）と、
前記タグ識別情報取得手段により取得されたタグ識別情報に対応つけられた入退場情報を前記入退場情報記憶手段から取得する入退場情報取得手段（例えば、ＣＰＵ６１、入退場情報取得プログラム６５６）と、
前記入退場情報取得手段により取得された入退場情報と、前記環境データ取得手段が取得した環境データとを対応つけて、前記ユーザのカード情報を記憶するＩＣカードに書き込む書込手段（例えば、カードリーダライタ４、ＣＰＵ６１、書込プログラム６３３）と、
を備えることを特徴とする。
【０００９】
請求項３記載の発明は、請求項１又は２に記載の入退場管理システムにおいて、
前記タグ識別情報読取手段により読み取られたタグ識別情報が、前記認証手段によって認証された後の経過時間を計時する経過時間計時手段（例えば、計時部６８）と、
前記経過時間計時手段が、所定の経過時間を計時したことに基づき、前記ユーザが所持する通信端末に、前記特定区域から退場すべき旨を通知する退場勧告通知手段（例えば、ＣＰＵ６１、通信部８０、退場勧告通知プログラム６６２）と、
を備えることを特徴とする。
【発明の効果】
【００１０】
請求項１記載の発明によれば、入退場管理システムにおいて、ＩＣカードのカード情報と非接触ＩＣタグのタグ識別情報とが対応つけられて記憶されており、ユーザの入退場時にタグ識別情報が認証された場合には、認証されたタグ識別情報と、このタグ識別情報の読取結果に基づく入退場情報とが対応つけられて記憶される。
つまり、入退場管理システムは、ユーザのカード情報に含まれる個人情報とタグ識別情報の読取結果に基づく入退場情報とを対応つけて記憶することにより、記憶容量の比較的大きいＩＣカードと、認証の利便性の高い非接触ＩＣタグとを組み合わせて用いることができる。
従って、ユーザの特定区域への入退場管理の効率化を図ることができる。
【００１１】
また、入退場管理システムは、その特定区域の環境に関する環境データを取得するとともに、その環境データをユーザが所持する通信端末に通知することができるので、ユーザは入退場する特定区域の安全性や危険性について、その通知された環境データである、例えば、ガス濃度や粉塵量、温度・湿度等に基づき認識することができ、特定区域へ入場できるか否か、また、特定区域から避難するように退場すべきか否かを判断することができる。
つまり、入退場管理システムは、特定区域の環境データをユーザの通信端末に通知することにより、ユーザに対して、特定区域へ入場すべきでない旨や、特定区域から退場すべき旨を通知することができる。
従って、特定区域におけるユーザの安全性を監視することができる。
【００１２】
請求項２記載の発明によれば、請求項１に記載の発明と同様の効果が得られることは無論のこと、特に、入退場管理システムにおいて、カード情報に対応つけられたタグ識別情報が取得され、取得されたタグ識別情報に対応つけられた入退場情報が取得され、取得された入退場情報と環境データとが対応つけられて当該入退場情報に対応するカード情報を記憶するＩＣカードに書き込まれる。
従って、ＩＣカードを所持するユーザが出入りする特定区域が替わっても、個々の特定区域での入退場情報やそこでの環境データをＩＣカードに記憶させることができることとなって、ユーザの入退場管理を更に効率的に行うことができる。
特に、ユーザが特定区域に入場した履歴において、ユーザが特定区域に入場していた入退場情報と環境データとが対応するように記憶されるので、その環境データに基づき、ユーザの健康管理についても行うことができる。つまり、例えば、ユーザが健康を害したような場合に、その入場履歴に基づき、その原因を環境データから調査することが可能となる。
【００１３】
請求項３記載の発明によれば、請求項１又は２に記載の発明と同様の効果が得られることは無論のこと、特に、入退場管理システムにおいて、ユーザの入場時にタグ識別情報が認証された後の経過時間が、所定の経過時間となったことが計時されることに基づき、特定区域から退場すべき旨を、ユーザが所持する通信端末に通知することができる。
従って、所定の時間以上、特定区域に入場しつづけないように、ユーザに通知することができる。
つまり、入退場管理システムは、特定区域へ長時間入場することが、ユーザの健康や安全に悪影響があるような場合、ユーザが特定区域へ入場してから所定時間経過した際に、特定区域から退場すべき旨をユーザの通信端末に通知することにより、特定区域におけるユーザの安全性を監視することができる。
【発明を実施するための最良の形態】
【００１４】
以下、本発明の実施の形態を詳細に説明する。
本発明に係る入退場管理システム１００は、例えば、トンネル工事などの特定区域である特定現場における作業者（ユーザ）の入退場管理を支援するとともに、特定現場へ入場する作業者の安全を監視するシステムである。
【００１５】
まず、入退場管理システム１００の全体構成について説明する。
図１から図３に示すように、入退場管理システム１００は、ヘルメットを着用した作業者が特定現場に入退場する際に通過するゲート部２０と、ゲート部２０に備えられ、非接触ＩＣタグ２のタグＩＤを読み取るタグ識別情報読取手段としてのタグリーダ３０と、ゲート部２０に備えられ、ゲート部２０を通過する作業者を検出する第１の検出センサ４０ａと第２の検出センサ４０ｂと、作業者がゲート部２０を通過することの可否を通知する警報部５０ａ、５０ｂと、特定現場の環境に関する環境データを取得する環境データ取得手段としてのガス濃度測定器７０と、ガス濃度測定器７０が取得した環境データなどを作業者が所持する通信端末８に通知する通信部８０と、作業者が所持するＩＣカード３のカード情報を読み取るカードリーダライタ４と、上記各部の動作を制御する制御装置６０等を備えている。
【００１６】
ここで、特定現場に入退場する作業者が着用するヘルメットについて説明する。
図４に示すように、作業者が着用するヘルメットは、ヘルメット本体１に、非接触ＩＣタグ２が配設されてなる非接触ＩＣタグ付きヘルメット１０である。
【００１７】
ヘルメット本体１は、例えば、絶縁材から成り、ヘルメットを着用する作業者の頭部に対する衝撃を緩和し、ヘルメット着用者の頭部を保護するものである。
【００１８】
非接触ＩＣタグ２は、図５に示すように、アンテナ部２ａと、アンテナ部２ａに接続されるＩＣチップ２ｂと、アンテナ部２ａとＩＣチップ２ｂを覆うシート材２ｃとにより構成されている。
アンテナ部２ａは、アンテナ線が平面状に捲回されてなり、そのアンテナ線の両端部がＩＣチップ２ｂに接続されている。
ＩＣチップ２ｂは、集積回路であり、非接触ＩＣタグ２に割り当てられた管理データであるタグ識別情報としてのタグＩＤを記憶している。また、ＩＣチップ２ｂは、アンテナ部２ａを介して所定の管理データを送受することができる。
シート材２ｃは、例えば、プラスチックシートであり、アンテナ部２ａやＩＣチップ２ｂが損傷しないように保護するとともに、非接触ＩＣタグ２を薄い平板形状に形成するためのものである。
【００１９】
この非接触ＩＣタグ２は、後述する入退場管理システム１００のタグリーダ３０に所定の距離近づいたり、タグリーダ３０の検知エリアに入ったりすると、タグリーダ３０が有するアンテナ（図示省略）と、非接触ＩＣタグ２のアンテナ部２ａとの間で磁気的な結合が生じ、アンテナ部２ａに高周波信号が誘起される。非接触ＩＣタグ２は、この高周波信号に基づく電力（誘導起電力）によりＩＣチップ２ｂが動作するようになっている。そして、非接触ＩＣタグ２は、ＩＣチップ２ｂに記憶するタグＩＤに関する信号などを、アンテナ部２ａを介して、タグリーダ３０に送信するようになっている。
【００２０】
そのため、非接触ＩＣタグ２は、後述する入退場管理システム１００のタグリーダ３０が検知しやすい箇所に備えられることが好ましい。
非接触ＩＣタグ２は、ヘルメット本体１の外側表面、ヘルメット本体１の内面のいずれに備えられていてもよく、また、着脱自在であっても、貼付されるなどして固定されていてもよい。また、非接触ＩＣタグ２は、ヘルメット本体１を構成する絶縁材中に埋設されていてもよい。
【００２１】
このような非接触ＩＣタグ付きヘルメット１０は、特定現場に入退場する作業者が着用しなければならないものであり、非接触ＩＣタグ付きヘルメット１０を着用する作業者の頭部を保護するとともに、特定現場に入退場する際の通行許可証としての機能を有するものである。
特定現場に入退場する際の通行許可証としての機能とは、後述する入退場管理システム１００において、非接触ＩＣタグ付きヘルメット１０の非接触ＩＣタグ２を検知するとともに、非接触ＩＣタグ２のＩＣチップ２ｂに記憶されるタグＩＤに基づき、非接触ＩＣタグ付きヘルメット１０を着用する作業者が、特定現場に入場したり、特定現場から退場したりすることに対するの許可、不許可が判断され、作業者に通知されるので、所定のタグＩＤが割り当てられた非接触ＩＣタグ付きヘルメット１０を通行許可証として着用しなければ、特定現場への出入りができないということである。
【００２２】
ゲート部２０は、図３に示すように、特定現場に入退場するための入退場口に設けられている。
ゲート部２０は、作業者が通常歩行姿勢で通過できる幅に離間して配置される側壁部２１，２１と、側壁部２１に掛け渡される天井部２２とにより構成されている。そして、ゲート部２０は、図６に示すように、作業者が通常歩行姿勢で通過できる高さ（例えば、１９０ｃｍ）と幅（例えば、９０ｃｍ）を有する通路を形成する。
天井部２２には、タグリーダ３０が配設されており、側壁部２１には、第１の検出センサ４０ａと第２の検出センサ４０ｂが備えられている。
【００２３】
タグリーダ３０は、アンテナ（図示省略）と、そのアンテナから高周波信号を出力させる駆動回路（図示省略）を有している。
タグリーダ３０は、所定の駆動回路により、例えば、周波数１３．５６（ＭＨｚ）の高周波信号をそのアンテナから出力し、非接触ＩＣタグ２のアンテナ部２ａに高周波信号を誘起させることで、非接触ＩＣタグ２に動作用電力を供給する。
また、タグリーダ３０は、非接触ＩＣタグ２のアンテナ部２ａを介して送信された信号を検知することに基づき、非接触ＩＣタグ２を検知する。また、タグリーダ３０は、非接触ＩＣタグ２のアンテナ部２ａを介して送信された信号におけるタグＩＤに関する信号に基づき、タグリーダ３０のアンテナに誘起される高周波信号を信号処理し、非接触ＩＣタグ２から送信されたタグＩＤを取得する。そして、タグリーダ３０は、取得したタグＩＤを、制御装置６０に出力する。
【００２４】
このタグリーダ３０が、非接触ＩＣタグ２に動作用電力を供給したり、非接触ＩＣタグ２がアンテナ部２ａを介して送信する信号を検知したりすることができる範囲である検知エリア３０ａは、図６において網掛けで示す部分のように、ゲート部２０内における上方側の空間である。この検知エリア３０ａは、例えば、左右の側壁部２１，２１が対向する間であるとともに、天井部２２から下方に９０ｃｍの範囲である。
このような検知エリア３０ａであれば、作業者が非接触ＩＣタグ付きヘルメット１０を着用し、通常歩行姿勢でゲート部２０を通過する際に、非接触ＩＣタグ付きヘルメット１０の非接触ＩＣタグ２が検知エリア３０ａを通過するので、タグリーダ３０は、非接触ＩＣタグ付きヘルメット１０の非接触ＩＣタグ２を検知することができる。
特に、作業者が非接触ＩＣタグ付きヘルメット１０を着用し、通常歩行姿勢、通常歩行速度でゲート部２０を通過する際に、より確実にタグリーダ３０が非接触ＩＣタグ２を検知することができる検知エリア３０ａを設けるように、タグリーダ３０をゲート部２０に配設することが好ましい。
【００２５】
第１の検出センサ４０ａ及び第２の検出センサ４０ｂは、例えば、赤外線センサで構成されており、作業者がゲート部２０を通過する方向である入退場方向に離間して、ゲート部２０に備えられている。
図７に示すように、第２の検出センサ４０ｂは、ゲート部２０における特定現場側（内側）に配設されており、第１の検出センサ４０ａは、第２の検出センサ４０ｂより入退場方向に特定現場から離れた位置（外側）に配設されている。
第１の検出センサ４０ａ及び第２の検出センサ４０ｂは、ゲート部２０を通過する作業者を検出するとともに、作業者を検出したことに基づく検出信号を、制御装置６０に出力する。
【００２６】
警報部５０ａは、ゲート部２０を特定現場に向かって入場する作業者に対して、後述する制御装置６０のＣＰＵ６１の判断に基づき、ゲート部２０の通過の可否を通知するものである。
警報部５０ｂは、ゲート部２０を特定現場から退場する作業者に対して、後述する制御装置６０のＣＰＵ６１の判断に基づき、ゲート部２０の通過の可否を通知するものである。
後述する制御装置６０が、作業者がゲート部２０を通過することを許可した場合、警報部５０ａ，５０ｂのライト部５５ａ，５５ｂは緑色に点灯し、通過の許可を通知するようになっている。また、後述する制御装置６０が、作業者がゲート部２０を通過することを許可しない場合、警報部５０ａ，５０ｂのライト部５５ａ，５５ｂは赤色に点灯するとともに、警報部５０ａ，５０ｂが警報音や警告アナウンスを発することで、通過の不許可を通知するようになっている。
【００２７】
ガス濃度測定器７０は、特定現場におけるガス濃度を測定することにより、特定現場の環境に関する環境データとしてのガス濃度データを取得し、そのガス濃度データを制御装置６０に出力する。
ガス濃度測定器７０は、例えば、図３に示すように、特定現場における立坑や切羽において、ガス濃度としての酸素濃度とメタン濃度を測定し、その測定データを制御装置６０に出力する。
【００２８】
通信部８０は、後述する制御装置６０から作業者に対する情報やメッセージを発信するための通知手段であり、その情報やメッセージを、作業者が所持するＰＨＳ（Personal Handyphone System）端末や携帯電話機などの通信端末８に対し発信するようになっている。
通信部８０は、環境データ通知手段として、ガス濃度測定器７０が測定して取得したガス濃度と、そのガス濃度に応じて後述する制御装置６０が判断した警告情報を、通信端末８に対し発信する。
また、通信部８０は、退場勧告通知手段として、後述する制御装置６０が判断した、特定現場に入場している作業者に対する退場勧告に関するメッセージを、通信端末８に対し発信する。
なお、通信部８０が、特定現場内の通信端末８への通信を好適に行うために、特定現場に適宜アンテナを配設するようにしてもよい。
【００２９】
ＩＣカード３は、例えば、カードごとに割り当てられる固有のカードＩＤと、当該ＩＣカード３の所持する作業者の個人情報等のカード情報を記憶するカードＩＣチップ（図示省略）と、カードＩＣチップに記憶されている情報をカードリーダライタ４へ送信する接点端子等を備えて構成されている。
ここで、作業者の個人情報は、例えば、氏名、生年月日、住所、緊急連絡先、健康診断情報、免許・資格、現場履歴等が含むものとする。
【００３０】
カードリーダライタ４は、例えば、図３に示すような、現場事務所に配設されている。
カードリーダライタ４は、カード情報読取手段として機能し、例えば、ＩＣカード３に記憶されているカード情報を読み取るための端子（図示省略）を備えている。
そして、このカードリーダライタ４内にＩＣカード３を挿入することにより、ＩＣカード３の接点端子（図示省略）とカードリーダライタ４の端子（図示省略）とが接触し、ＩＣカード３に記憶されているカード情報が読み出され、制御装置６０のＣＰＵ６１に入力されるようになっている。
【００３１】
また、カードリーダライタ４は、書込手段の一部として機能し、入退場情報ＤＢ６４３に記憶されている入退場情報を、この入退場情報に対応するカードＩＤを記憶するＩＣカード３に書き込むものである。
また、書込手段としてのカードリーダライタ４は、ガス濃度測定器７０が測定し、ガス濃度情報ＤＢ６４４に記憶されている特定現場におけるガス濃度データを、そのガス濃度測定時に特定現場に入場していた作業者のＩＣカード３に書き込む。
なお、カードリーダライタ４の書込処理については、制御装置６０によって制御されている。
【００３２】
そして、作業者は、特定現場に入場するためゲート部２０を通過する前に、カードリーダライタ４により、ＩＣカード３の読み取りを行う。また。作業者は、特定現場から退場しゲート部２０を通過した後に、カードリーダライタ４により、ＩＣカード３へのデータの書き込みを行う。
【００３３】
制御装置６０は、図２に示すように、例えば、ＣＰＵ６１、ＲＡＭ６２、記憶部６３、表示部６６、入力部６７、計時部６８、外部機器と接続するためのインターフェイス（Ｉ／Ｆ）６９などを備え、これらはバスＢを介して接続されている。
【００３４】
ＣＰＵ６１は、記憶部６３に格納された入退場管理システム用の各種制御プログラム（アプリケーションプログラム、システムプログラム）に従って、各種の制御動作を実行する。
ＲＡＭ６２には、種々のワークメモリやカウンタなどが設けられており、ＣＰＵ６１が上記制御プログラムを実行する際のワークエリアとして使用される。
【００３５】
記憶部６３は、プログラムやデータなどが予め記憶された記録媒体６４を有している。記録媒体６４は、例えば、磁気的記録媒体、光学的記録媒体、半導体メモリなどで構成されている。記録媒体６４は、記憶部６３に対して、固定的に、或いは着脱自在に設けられている。
【００３６】
記録媒体６４には、カード情報データベース（カード情報ＤＢ）６４１、タグＩＤデータベース（タグＩＤＤＢ）６４２、入退場情報データベース（入退場情報ＤＢ）６４３、ガス濃度情報データベース（ガス濃度情報ＤＢ）６４４等が記憶されている。
また、記録媒体６４には、入退場管理処理に使用される各種アプリケーションプログラムなどが記憶されるプログラム格納領域６５、各種アプリケーションプログラムの実行結果などが記憶される結果データ格納領域（図示省略）などが設けられている。
なお、記録媒体６４に記憶されるプログラム、データなどは、その一部または全部が、他の外部装置などから、Ｉ／Ｆ６９などを介して取得して、記録媒体６４に記録されるものとしてもよい。
【００３７】
カード情報ＤＢ６４１には、図８に示すように、カードリーダライタ４によって読み取られたＩＣカード３のカード情報が記憶されている。カード情報は、例えば、カードＩＤ及び個人情報とを含み、このカードＩＤと、個人情報とが対応つけられて記憶されている。例えば、カードＩＤ「１」は、作業者氏名「○○」−所属「◎◎」−緊急連絡先「●●」・・・の個人情報と対応つけられて記憶されている。このように、カード情報ＤＢ６４１は、カード情報記憶手段の一部として機能する。
【００３８】
タグＩＤＤＢ６４２には、例えば、図９に示すように、カードリーダライタ４によって読み取られたカードＩＤと、そのカードＩＤが記憶されたＩＣカード３の所有者が所持する非接触ＩＣタグのタグＩＤとが対応つけられて記憶されている。具体的には、例えば、カードＩＤ「１」は、タグＩＤ「１０１」と対応つけられて記憶されている。このように、タグＩＤＤＢ６４２は、タグ識別情報記憶手段の一部として機能する。
【００３９】
入退場情報ＤＢ６４３には、例えば、図１０に示すようにタグリーダ３０によって読み取られ、管理装置６０のＣＰＵ６１によって認証されたタグＩＤと、このタグＩＤの読取時刻（入退場時刻、入退場情報）とが対応つけられて記憶されている。具体的には、例えば、タグＩＤ「１０１」は、入場時刻「２００４−０３−０３−８：００」及び退場時刻「２００４−０３−０３−１８：００」と対応つけて記憶されている。
このように、入退場情報ＤＢ６４３は、入退場情報記憶手段の一部として機能する。
【００４０】
ガス濃度情報ＤＢ６４４には、例えば、図１１に示すように、ガス濃度測定器７０によって測定され取得された特定現場における酸素濃度とメタン濃度のデータが、測定時刻に対応つけられて記憶されている。具体的には、例えば、測定時刻「０４／０３／０３；７：００〜８：００」における酸素濃度「２１％」、メタン濃度「０．０５％」と対応つけられて記憶されている。
このように、ガス濃度情報ＤＢ６４４は、ガス濃度情報記憶手段として機能する。
【００４１】
プログラム格納領域６５には、ＣＰＵ６１での各種動作を行うためのシステムプログラム、アプリケーションプログラムが記憶されている。
具体的には、カード情報記憶プログラム６５０、タグＩＤ記憶プログラム６５１、認証プログラム６５２、通知プログラム６５３、タグＩＤ取得プログラム６５４、入退場情報記憶プログラム６５５、入退場情報取得プログラム６５６、ガス濃度情報記憶プログラム６５７、ガス濃度情報取得プログラム６５８、ガス濃度警告プログラム６５９、環境データ通知プログラム６６０、退場勧告プログラム６６１、退場勧告通知プログラム６６２、書込プログラム６６３、カード情報取得プログラム６６４、出力制御プログラム６６５等が記憶されている。
【００４２】
表示部６６は、出力手段として機能し、例えば、ＬＣＤ（Liquid  Crystal  Display）などにより構成されている。そして、ＣＰＵ６１の出力制御に従い、各種データを入力する入力画面や、カード情報等の出力画面などを表示画面上に表示できる。
【００４３】
入力部６７は、例えば、キーボードなどにより構成されており、ユーザにより操作された各種キーに対応する操作信号をＣＰＵ６１に出力する。
【００４４】
計時部６８は、時刻や日付を計時し、計時された時間データ等は、ＣＰＵ６１を介してＲＡＭ６２に送られて順次更新セットされる。例えば、所定周波数のクロック信号を発振する発振回路（図示省略）と、該発振回路からの信号を分周して所定周波数の信号を得る分周回路（図示省略）と、一秒単位の計時データに変換するための時刻用カウンタ（図示省略）等を備える。
そして、タグリーダ３０によって読み取られたタグＩＤが認証された場合には、認証された時刻がタグＩＤと対応付けられて入退場情報ＤＢ６４３に記憶されるようになっている。
また、計時部６８は、経過時間計時手段として、タグリーダ３０によって読み取られたタグＩＤが認証された後、そのタグＩＤの読取結果に基づく退場情報が得られるまでの経過時間を計時する。
【００４５】
Ｉ／Ｆ６９は、この制御装置６０とカードリーダライタ４、タグリーダ３０、警報部５０ａ、５０ｂ等との間で各種指示信号や位置情報等を入出力するためのインターフェイスであり、例えば、ＵＳＢ（Universal  Serial  Bus）ポートやＲＳ−２３２Ｃ端子をはじめとするシリアル入出力端子、パラレル入出力端子、ＳＣＳＩインターフェイス、ＩｒＤＡ（Infrared  Data  Association）規格に準じた赤外線通信装置等が備えられ、有線または無線通信手段により外部機器と接続することが可能である。
【００４６】
そして、制御装置６０のＣＰＵ６１は、カード情報記憶プログラム６５０を実行することにより、カードリーダライタ４によって読み取られたＩＣカード３のカード情報をカード情報ＤＢ６４１に記憶するカード情報記憶手段の一部として機能する。
【００４７】
また、制御装置６０のＣＰＵ６１は、タグＩＤ記憶プログラム６５１を実行することにより、タグリーダ３０によって読み取られた非接触ＩＣタグ２のタグＩＤと、当該非接触ＩＣタグ２を所持する作業者のＩＣカード３のカード情報とを対応つけて、タグＩＤＤＢ６４２に記憶するタグ識別情報記憶手段の一部として機能する。
【００４８】
また、制御装置６０のＣＰＵ６１は、認証プログラム６５２を実行することにより、タグリーダ３０によって読み取られたタグＩＤを、タグＩＤＤＢ６４２に記憶されているタグＩＤに基づいて認証する認証手段として機能する。
【００４９】
また、制御装置６０のＣＰＵ６１は、通知プログラム６５３を実行することにより、タグリーダ３０によって読み取られたタグＩＤの認証結果を、特定区域に入退場しようとする作業者に通知するように、警報部５０ａ，５０ｂを動作させるように機能する。
【００５０】
また、制御装置６０のＣＰＵ６１は、タグＩＤ取得プログラム６５４を実行することにより、カードリーダライタ４によって読み取られたカード情報に対応つけられたタグＩＤをタグＩＤＤＢ６４２から取得するタグ識別情報取得手段として機能する。
【００５１】
また、制御装置６０のＣＰＵ６１は、入退場情報記憶プログラム６５５を実行することにより、認証されたタグＩＤと、当該タグＩＤの読取結果に基づく入退場情報である入退場時刻データとを対応つけて、入退場情報ＤＢ６４３に記憶する入退場情報記憶手段の一部として機能する。
【００５２】
また、制御装置６０のＣＰＵ６１は、入退場情報取得プログラム６５６を実行することにより、取得したタグＩＤに対応つけられた入退場時刻を入退場情報ＤＢ６４３から取得する入退場情報取得手段として機能する。
【００５３】
また、制御装置６０のＣＰＵ６１は、ガス濃度情報記憶プログラム６５７を実行することにより、ガス濃度測定器７０が測定し取得したガス濃度データをその測定時刻と対応つけて、ガス濃度情報ＤＢ６４４に記憶するガス濃度情報記憶手段として機能する。
【００５４】
また、制御装置６０のＣＰＵ６１は、ガス濃度情報取得プログラム６５８を実行することにより、タグＩＤに対応つけられた入退場時刻に対応するガス濃度データをガス濃度情報ＤＢ６４４から取得するガス濃度情報取得手段として機能する。
【００５５】
また、制御装置６０のＣＰＵ６１は、ガス濃度警告プログラム６５９を実行することにより、ガス濃度測定器７０が測定し取得したガス濃度データに基づき、特定現場が安全な状態か、要注意状態か、危険状態か、を判断し、その判断した警告情報を作成するガス濃度警告手段として機能する。
例えば、ガス濃度測定器７０が測定し取得した酸素濃度データが、２１％以上であれば安全状態、１８％以上２１％未満であれば要注意状態、１８％未満であれば危険状態と判断する。また、メタン濃度が１％未満であれば安全状態、１％以上１．２６％未満であれば要注意状態、１．２６％以上であれば危険状態と判断する。
【００５６】
また、制御装置６０のＣＰＵ６１は、環境データ通知プログラム６６０を実行することにより、ガス濃度測定器７０が測定し取得したガス濃度データと、ガス濃度警告手段が作成した警告情報（安全状態、要注意状態、危険状態）とを通信部８０から通信端末８に通知する環境データ通知手段の一部として機能する。
【００５７】
また、制御装置６０のＣＰＵ６１は、退場勧告プログラム６６１を実行することにより、経過時間計時手段としての計時部６８が計時した、タグリーダ３０によって読み取られたタグＩＤが認証された後の経過時間が、所定の経過時間となったか否かを判断する退場勧告判断手段として機能する。
【００５８】
また、制御装置６０のＣＰＵ６１は、退場勧告通知プログラム６６２を実行することにより、退場勧告判断手段が、所定の経過時間を計時したことに基づき、特定区域から退場すべき旨を、そのタグＩＤに対応する作業者の携帯端末８に通知する退場勧告通知手段の一部として機能する。
【００５９】
また、制御装置６０のＣＰＵ６１は、書込プログラム６６３を実行することにより、取得した入退場情報を、当該入退場情報に対応するカード情報を記憶するＩＣカード３に書き込む書込手段の一部として機能する。
また、制御装置６０のＣＰＵ６１は、書込プログラム６６３を実行することにより、ガス濃度測定器７０が測定し、ガス濃度情報ＤＢ６４４に記憶されている特定現場におけるガス濃度データを、そのガス濃度測定時に特定現場に入場していた作業者のＩＣカード３に書き込む書込手段の一部として機能する。
【００６０】
また、制御装置６０のＣＰＵ６１は、カード情報取得プログラム６６４を実行することにより、取得したタグＩＤに対応付けられたカード情報をカード情報ＤＢ６４１から取得するカード情報取得手段として機能する。
【００６１】
また、制御装置６０のＣＰＵ６１は、出力制御プログラム６６５を実行することにより、取得したカード情報中の個人情報を表示部６７に出力させる出力制御手段として機能する。
【００６２】
次に、入退場管理システム１００による作業者の入退場管理処理の一例について、図面を参照して詳細に説明する。この入退場管理処理には、新規登録処理、入退場認証処理、環境データ通知処理、退避勧告通知処理、ＩＣカード書込処理、出力制御処理が含まれる。
【００６３】
まず、特定現場に入退場する作業者の個人情報等の新規登録処理について、図１２に示すフローチャートに基づき説明する。
【００６４】
まず、ＣＰＵ６１が、登録処理開始信号の入力があったと判断すると（ステップＳ１０１；Ｙｅｓ）、カードリーダライタ４によってＩＣカード３から読み取られたカード情報がＣＰＵ６１に入力される（ステップＳ１０２）。
次いで、ＣＰＵ６１は、入力されたカード情報をカード情報ＤＢ６４１に記憶する（ステップＳ１０３）。具体的には、図８に示すように、例えば、カード情報のカードＩＤ「１」−氏名「○○」−所属「◎◎」−緊急連絡先「●●」・・・をカード情報ＤＢ６４１に記憶する。
次いで、ＣＰＵ６１は、入力されたカード情報（例えば、カードＩＤ）にタグＩＤを付与し、このカードＩＤとタグＩＤとを対応つけてタグＩＤＤＢ６４２に記憶し（ステップＳ１０４）、本処理を終了する。具体的には、図９に示すように、例えば、カードＩＤ「１」にタグＩＤ「１０１」を付与し、このカードＩＤ「１」とタグＩＤ「１０１」とを対応つけて記憶する。
【００６５】
次に、特定現場に入退場する作業者の入退場認証処理について、図１３に示すフローチャートに基づき説明する。
【００６６】
まず、特定現場に入場、或いは特定現場から退場するために、入退場管理システム１００のゲート部２０を通過しようとする作業者を、第１の検出センサ４０ａ又は第２の検出センサ４０ｂが検出する（ステップＳ２０１）。
【００６７】
次いで、ＣＰＵ６１は、タグリーダ３０によって、ゲート部２０を通過しようとする作業者が着用する非接触ＩＣタグ付きヘルメット１０の非接触ＩＣタグ２のタグＩＤの読取信号が入力されたか否かを判断する（ステップＳ２０２）。そして、ＣＰＵ６１が、タグリーダ３０によって非接触ＩＣタグ付きヘルメット１０の非接触ＩＣタグ２のタグＩＤの読取信号が入力されたと判断すると（ステップＳ２０２；Ｙｅｓ）、ＣＰＵ６１は、入力されたタグＩＤに基づき、非接触ＩＣタグ付きヘルメット１０を着用する作業者が、ゲート部２０を通過できるか否かを判断する（ステップＳ２０３）。
【００６８】
そして、ＣＰＵ６１が、タグリーダ３０が読み取った非接触ＩＣタグ２のタグＩＤが登録されている（即ち、タグＩＤＤＢ６４２に既に記憶されている）と判断し、認証した場合には（ステップＳ２０３；Ｙｅｓ）、その判断の後に、もう一方の検出センサが作業者を検出する（ステップＳ２０４）。
そして、ＣＰＵ６１は、作業者がゲート部２０を通過する際に、第１の検出センサ４０ａと第２の検出センサ４０ｂが作業者を検出した順に基づき、作業者の入退場を判別し（ステップＳ２０５）、判別した入退場に対応する警報部５０ａ，５０ｂに、作業者の通過を許可する通知（通過ＯＫ通知）を行わせる（ステップＳ２０６）。
この通過許可の通知に伴い、作業者は、特定現場に入場、或いは特定現場から退場することができる。
次いで、ＣＰＵ６１は、認証したタグＩＤとそのタグＩＤを認証した時刻（日時）を入退場情報ＤＢ６４３に記憶し（ステップＳ２０７）、ステップＳ１０１へ戻る。具体的には、図１０に示すように、例えば、タグＩＤ「１０１」−入場時刻「２００４−０３−０３−８：００」−退場時刻「２００４−０３−０３−１８：００」をそれぞれ対応つけて入退場情報ＤＢ６４３に記憶する。
【００６９】
一方、ＣＰＵ６１が、タグリーダ３０が読み取った非接触ＩＣタグ２のタグＩＤが、ゲート部２０の通過に対し無効である（即ち、読み取ったタグＩＤがタグＩＤＤＢ６４２に記憶されていない）と判断した場合には（ステップＳ２０３；Ｎｏ）、その判断の後に、もう一方の検出センサが作業者を検出する（ステップＳ２０８）。
そして、ＣＰＵ６１は、作業者がゲート部２０を通過する際に、第１の検出センサ４０ａと第２の検出センサ４０ｂが作業者を検出した順に基づき、作業者の入退場を判別し（ステップＳ２０９）、判別した入退場に対応する警報部５０ａ，５０ｂに、作業者の通過を許可しない通知（通過ＮＧ通知）を行わせる（ステップＳ２１０）。
この通過不許可の通知に伴い、作業者は、特定現場に入場、或いは特定現場から退場することを、取りやめなければならない。
そして、通過ＮＧ通知後、ステップＳ２０１へ戻る。
【００７０】
また、タグリーダ３０が非接触ＩＣタグ付きヘルメット１０の非接触ＩＣタグ２を検知せずに（ステップＳ２０２；Ｎｏ）、もう一方の検出センサが、作業者を検出すると（ステップＳ２１１）、ステップＳ２０９へ進むとともに、通過ＮＧ通知した後、ステップＳ２０１へ戻る。
【００７１】
次に、特定現場に入場している作業者への環境データ通知処理について、図１４に示すフローチャートに基づき説明する。
【００７２】
ＣＰＵ６１は、ガス濃度測定器７０が測定した特定現場における酸素濃度やメタン濃度のガス濃度データを、ガス濃度情報ＤＢ６４４に記憶するとともに（ステップＳ３０１）、そのガス濃度が安全状態か、要注意状態か、危険状態かを判断する（ステップＳ３０２）。
ＣＰＵ６１が、ガス濃度は安全状態であると判断すると（ステップＳ３０２；Ｙｅｓ）、ステップＳ３０１へ戻る。
一方、ＣＰＵ６１が、ガス濃度は要注意状態、危険状態であると判断すると（ステップＳ３０２；Ｎｏ）、ＣＰＵ６１は、そのガス濃度データとともに、要注意状態、危険状態であるとの警告情報を、通信端末８へ通知する（ステップＳ３０３）。具体的には、図１５に示すように、通信端末８の表示画面に、警告情報（例えば、「危険」）、警告日時、ガス濃度測定箇所（例えば、「立坑」）、ガス濃度等を表示させるように、警告情報を通知する。
【００７３】
次に、特定現場に入場している作業者への退場勧告通知処理について、図１６に示すフローチャートに基づき説明する。
【００７４】
計時部６８は、タグリーダ３０が検知した、作業者が有するタグＩＤが認証されて、作業者が特定現場に入場してからの経過時間を計時する（ステップＳ４０１）。
次いで、ＣＰＵ６１は、計時部６８が計時した経過時間が、所定の経過時間（例えば、１０時間）になったか否かを判断する（ステップＳ４０２）。
ＣＰＵ６１が、所定の経過時間になっていないと判断すると（ステップＳ３０２；Ｎｏ）、ステップＳ４０１へ戻る。
一方、ＣＰＵ６１が、所定の経過時間になったと判断すると（ステップＳ４０２；Ｙｅｓ）、ＣＰＵ６１は、退避勧告情報を、通信端末８へ通知する（ステップＳ４０３）。具体的には、図１７に示すように、通信端末８の表示画面に、所定の経過時間となったので、作業場から退場すべきであるとの旨を伝達するように、退避勧告情報を表示させて、通知する。
【００７５】
次に、ＩＣカード書込処理について、図１８に示すフローチャートに基づき説明する。
【００７６】
まず、ＣＰＵ６１は、カードリーダライタ４が読み取ったＩＣカード３のカードＩＤが入力されたと判断した場合（ステップＳ５０１；Ｙｅｓ）には、そのカードＩＤに対応つけられたタグＩＤをタグＩＤＤＢ６４２から取得する（ステップＳ５０２）。具体的には、例えば、カードＩＤ「１」に対応したタグＩＤ「１０１」を取得したとする。
【００７７】
次いで、ＣＰＵ６１は、取得したタグＩＤ「１０１」に対応付けられた入退場情報を、入退場情報ＤＢ６４３から取得する。具体的には、図１０に示す入退場情報ＤＢ６４３から入退場情報として、例えば、タグＩＤ「１０１」−入場時刻「２００４−０３−０３−８：００」−退場時刻「２００４−０３−０３−１８：００」を取得したとする。
また、取得した入退場情報である、入場時刻から退場時刻に対応する間のガス濃度データをガス濃度情報ＤＢ６４４から取得する（ステップＳ５０３）。
次いで、ＣＰＵ６１は、取得した入退場情報（入場時刻「２００４−０３−０３−８：００」及び退場時刻「２００４−０３−０３−１８：００」）と、その間のガス濃度データを、この入退場情報に対応するカードＩＤ「１０１」を記憶するＩＣカード３にカードリーダライタ４によって書き込ませ（ステップＳ５０４）、本処理を終了する。
【００７８】
次に、出力制御処理について、図１９に示すフローチャートに基づき説明する。
【００７９】
まず、ＣＰＵ６１が、個人情報表示指示入力があったと判断すると（ステップＳ６０１；Ｙｅｓ）、カードリーダライタ４によってＩＣカード３から読み取られたカード情報がＣＰＵ６１に入力される（ステップＳ６０２）。
次いで、ＣＰＵ６１は、入力されたカード情報を、図２０に示すように、個人情報一覧７００として、個人情報と入退場情報やガス濃度データとを対応つけて表示部６６に表示させ（ステップＳ６０３）、本処理を終了する。
なお、これら個人情報や入退場情報やガス濃度データを、カードＩＤやタグＩＤに基づき制御装置６０の各データベースから取得し、表示するようにしてもよい。
【００８０】
このように、本発明に係る入退場管理システム１００は、特定現場へ入退場しようとする作業者が着用している非接触ＩＣタグ付きヘルメット１０の非接触ＩＣタグ２を検知し、非接触ＩＣタグ２のＩＣチップ２ｂに記憶されるタグＩＤを読み取るとともに、そのタグＩＤに基づき、非接触ＩＣタグ付きヘルメット１０を着用する作業者が、特定現場へ入退場することに対するの許可、不許可を認証し、判断することができる。そして、そのタグＩＤに基づく認証結果を作業者に通知することによって、作業者が特定現場へ入退場することを制限することができる。
よって、入退場管理システム１００は、特定現場への作業者の入退場の管理を効率よく行うことができる。
【００８１】
特に、この入退場管理システム１００は、特定現場におけるガス濃度を測定するとともに、そのガス濃度に基づき、特定現場の作業環境が人体に危険な状態となったと判断すると、各作業者が所持する通信端末８に、特定現場が危険な状態であることを通知し、全作業者に対して、現場から退場すべきであることを通知することができる。
また、特定現場に、所定の時間（経過時間）継続して入場している作業者に対し、その作業者が所持する携帯端末８に、特定現場から退場すべきであることを通知することができる。
よって、入退場管理システム１００は、作業者が特定現場において危険にさらされそうな場合には、作業者に特定現場から避難することを通知することができるので、特定現場での作業者の安全について監視することができるといえる。
【００８２】
また、入退場管理システム１００によれば、ＩＣカード３のカード情報（カードＩＤ）と非接触ＩＣタグ２のタグＩＤとが対応つけられて記憶されており、作業者の入退場時にタグＩＤが認証された場合には、認証されたタグＩＤと、このタグＩＤの読取結果に基づく入退場情報や、特定現場でのガス濃度などの環境データとが対応つけられて記憶される。従って、作業者の個人情報とＩＤの読取結果に基づく入退場情報等とが対応つけられて記憶されることとなって、記憶容量の比較的大きいＩＣカード３と、認証の利便性の高い非接触ＩＣタグ２とを組み合わせて用いることによって、入退場管理に関するデータ管理の効率化を図ることができる。
特に、作業者が特定現場に入場した履歴において、作業者が特定現場に入場していた時間と、その間の現場の環境データ（ガス濃度データ）とが対応するように記録されるので、そのデータに基づき、作業者の健康管理についても行うことができる。つまり、作業者が健康を害したような場合に、その入場履歴に基づき、その原因を調査することができることがある。
【００８３】
また、作業者は、非接触ＩＣタグ２を備えた非接触ＩＣタグ付きヘルメット１０を着用し、入退場管理システム１００のゲート部２０を通常歩行姿勢で通過することにより、ゲート部２０における作業者の頭上側に配設されたタグリーダ３０が、非接触ＩＣタグ付きヘルメット１０の非接触ＩＣタグ２を検知するようになっているので、作業者は、入退場管理システム１００の通行証となる非接触ＩＣタグ２をポケットなどに保管するとともに、特定現場へ入場する際に取り出し、その非接触ＩＣタグ２をタグリーダ３０にかざしたりする手間を省くことができる。
よって、この入退場管理システム１００において作業者は、特定現場への入退場を容易に行うことができる。
【００８４】
なお、以上の実施の形態においては、ガス濃度測定器７０は、酸素とメタンの濃度を測定し検出するとしたが、本発明はこれに限定されるものではなく、二酸化炭素など他のガスを測定するようにしてもよく、また、アスベストやダイオキシン等が含まれるような粉塵量を測定し、検出するようにしてもよい。
【００８５】
また、上記実施の形態における出力制御処理については、作業者の個人情報と入退場情報とを表示部６６に表示させる構成を示したが、例えば、入退場時刻に基づいて労働時間等を演算して表示させるようにしてもよい。
また、それら情報を表示部６６に表示させる構成としたが、印刷部により印刷して出力してもよい。
【００８６】
また、その他、具体的な細部構造等についても適宜に変更可能であることは勿論である。
【図面の簡単な説明】
【００８７】
【図１】本発明に係る入退場管理システムの概略を示す斜視図である。
【図２】本発明に係る入退場管理システムの要部構成を示すブロック図である。
【図３】本発明に係る入退場管理システムの概略を示す説明図である。
【図４】非接触ＩＣタグ付きヘルメットを示す斜視図である。
【図５】非接触ＩＣタグを示す平面図である。
【図６】入退場管理システムにおける検知エリアの説明図である。
【図７】入退場管理システムにおける検出センサの説明図である。
【図８】カード情報ＤＢのデータ内容の一例を示す図である。
【図９】タグＩＤＤＢのデータ内容の一例を示す図である。
【図１０】入退場情報ＤＢのデータ内容の一例を示す図である。
【図１１】ガス濃度情報ＤＢのデータ内容の一例を示す図である。
【図１２】新規登録処理の一例を示すフローチャートである。
【図１３】入退場認証処理の一例を示すフローチャートである。
【図１４】環境データ通知処理の一例を示すフローチャートである。
【図１５】環境データが通知された通信端末を示す説明図である。
【図１６】退避勧告通知処理の一例を示すフローチャートである。
【図１７】退場勧告が通知された通信端末を示す説明図である。
【図１８】ＩＣカード書込処理の一例を示すフローチャートである。
【図１９】出力制御処理の一例を示すフローチャートである。
【図２０】個人情報の出力結果の一例を示す図である。
【符号の説明】
【００８８】
２      非接触ＩＣタグ
２ａ    アンテナ部
２ｂ    ＩＣチップ
３      ＩＣカード
４      カードリーダライタ（カード情報読取手段、書込手段）
８      通信端末
１０    非接触ＩＣタグ付きヘルメット
２０    ゲート部
３０    タグリーダ（タグ識別情報読取手段）
４０ａ  第１の検出センサ
４０ｂ  第２の検出センサ
５０ａ、５０ｂ  警報部
６０    制御装置
６１    ＣＰＵ（カード情報記憶手段、タグ識別情報記憶手段、認証手段、タグ識別情報取得手段、入退場情報記憶手段、入退場情報取得手段、環境データ通知手段、退場勧告通知手段、書込手段、カード情報取得手段、出力制御手段）
６６    表示部
６７    入力部
６８    計時部（経過時間計時手段）
７０    ガス濃度測定器（環境データ取得手段）
８０    通信部（環境データ通知手段、退場勧告通知手段）
１００  入退出管理システム
６４１  カード情報ＤＢ（カード情報記憶手段）
６４２  タグＩＤＤＢ（タグ識別情報記憶手段）
６４３  入退場情報ＤＢ（入退場情報記憶手段）
６４４  ガス濃度情報ＤＢ
６５０  カード情報記憶プログラム（カード情報記憶手段）
６５１  タグＩＤ記憶プログラム（タグ識別情報記憶手段）
６５２  認証プログラム（認証手段）
６５３  通知プログラム
６５４  タグＩＤ取得プログラム（タグ識別情報取得手段）
６５５  入退場情報記憶プログラム（入退場情報記憶手段）
６５６  入退場情報取得プログラム（入退場情報取得手段）
６５７  ガス濃度情報記憶プログラム
６５８  ガス濃度情報取得プログラム
６５９  ガス濃度警告プログラム
６６０  環境データ通知プログラム（環境データ通知手段）
６６１  退場勧告プログラム
６６２  退場勧告通知プログラム（退場勧告通知手段）
６６３  書込プログラム（書込手段）
６６４  カード情報取得プログラム
６６５  出力制御プログラム
【図１】
2006072719.tif 000003
【図２】
2006072719.tif 000004
【図３】
2006072719.tif 000005
【図４】
2006072719.tif 000006
【図５】
2006072719.tif 000007
【図６】
2006072719.tif 000008
【図７】
2006072719.tif 000009
【図８】
2006072719.tif 000010
【図９】
2006072719.tif 000011
【図１０】
2006072719.tif 000012
【図１１】
2006072719.tif 000013
【図１２】
2006072719.tif 000014
【図１３】
2006072719.tif 000015
【図１４】
2006072719.tif 000016
【図１５】
2006072719.tif 000017
【図１６】
2006072719.tif 000018
【図１７】
2006072719.tif 000019
【図１８】
2006072719.tif 000020
【図１９】
2006072719.tif 000021
【図２０】
2006072719.tif 000022